(57)【要約】【課題】確実に接地を行うことのできるコネクタを提供する。【解決手段】コネクタＣは、上方に開口し、接続対象を収容する凹部を有する本体１と、凹部を覆うカバー体２と、板状の接地コンタクト４と、を備えている。接地コンタクト４は本体１の下面に沿うように設けられ、下面から少なくとも一部が露出している。カバー体２は、接触面を有する係止部２２ａを備え、接触面が前記接地コンタクト４の露出部分に下方から面接触する。【選択図】図６
2014192140.tif 000002
【特許請求の範囲】
【請求項１】
上方に開口し、接続対象を収容する凹部を有する本体と、
前記凹部を覆うカバー体と、
板状の接地コンタクトと、を備え、
前記接地コンタクトは前記本体の下面に沿うように設けられ、前記下面から少なくとも一部が露出し、
前記カバー体は、接触面を有する係止部を備え、
前記接触面が前記接地コンタクトの露出部分に下方から面接触するコネクタ。
【請求項２】
前記カバー体は下方に延出する側壁を備え、
前記係止部が、前記側壁の下方の端部から内側へ延出して形成されている請求項１記載のコネクタ。
【請求項３】
前記カバー体は、前記接続対象を下方へ押圧する押圧部を備える請求項１または２記載のコネクタ。
【請求項４】
前記本体の第１の周辺または前記第１の周辺および前記第１の周辺に対向する第２の周辺に前記接地コンタクトが設けられ、
前記接地コンタクトの下方に空間が設けられ、
前記本体は周辺に側壁を備え、前記本体の前記側壁のうち前記接地コンタクトが設けられた周辺の側壁に、前記係止部が通過可能な切欠きが設けられ、
前記切欠きの下端部と前記空間とが連通する請求項２または３記載のコネクタ。
【請求項５】
前記空間の高さより、前記係止部の厚さが小さく設定されている請求項４記載のコネクタ。
【請求項６】
前記カバー体の側壁は内側へ突出する凸部を備え、
前記本体の前記接地コンタクトが設けられた周辺の側壁は、前記切欠きに対して前記空間が設けられている側ほど内側へ傾斜し、前記カバー体を前記面接触を解除する方向へスライドさせる際に前記凸部が当接する傾斜面を備える請求項４または５記載のコネクタ。
【発明の詳細な説明】
【技術分野】
【０００１】
本発明は、接続対象に電気的に接続されるコネクタ、特に、金属製のカバー体を備えたコネクタに関する。
【背景技術】
【０００２】
このようなコネクタは、ＥＭＩ特性を向上させるために、カバー体を接地させている。例えば、特許文献１では、ハウジングの両側部及び下部に接地端子が保持されており、ハウジングに取り付けられたカバーを回転させて閉じ、スライドさせて係止する構成である。この接地端子には、側面端部にロック部が形成されている。そして、カバーの内側面に突起が設けられるとともに側面端部に被ロック部が設けられている。カバーを閉じてスライドさせると、カバーの突起が接地端子の側面に外側から当接するとともに、カバーの被ロック部に形成された開口が接地端子のロック部に引っ掛かることで、カバーを接地している。
【先行技術文献】
【特許文献】
【０００３】
【特許文献１】特開２００８−０４１３３８号公報
【発明の概要】
【発明が解決しようとする課題】
【０００４】
このような接地構造では、コネクタの両側面に２か所ずつ接地箇所を設けているものの、一方の接地箇所では、カバーに設けられた突起は曲面であるため、接地端子に対して線状に当接している。また、もう一方の接地箇所であるロック部においては、被ロック部の開口の内側にロック部が引っ掛かる構造であるため、カバーと接地端子は点で当接している。そのためどちらも接地面積が小さく、カバーに多少のずれが生じた際に、接地端子とカバーが接触せず、十分な接地ができないおそれがある。また、接地端子にロック部を設けることや、カバーの被ロック部に開口を設ける必要があるため、構造が複雑になり、製造コストが増大するおそれがある。
【０００５】
本発明は上記課題に鑑みてなされたものであり、その目的は、確実に接地を行うことができるコネクタを提供することにある。
【課題を解決するための手段】
【０００６】
本発明のコネクタの好適な実施形態の一つでは、上方に開口し、接続対象を収容する凹部を有する本体と、前記凹部を覆うカバー体と、板状の接地コンタクトと、を備え、前記接地コンタクトは前記本体の下面に沿うように設けられ、前記下面から少なくとも一部が露出し、前記カバー体は、接触面を有する係止部を備え、前記接触面が前記接地コンタクトの露出部分に下方から面接触する。
【０００７】
この構成では、係止部の接触面が接地コンタクトの露出部分に面接触しているため、接地面積を大きくすることができる。そのため、カバー体に力が加わってカバー体に多少のずれが生じても、カバー体を確実に接地することができる。また、接地コンタクトの下方からカバー体の係止部が接触しているため、カバー体が上方へ変位することを防ぐことができる。
【０００８】
本発明のコネクタの好適な実施形態の一つでは、前記カバー体は下方に延出する側壁を備え、前記係止部が、前記側壁の下方の端部から内側へ延出して形成されている。
【０００９】
この構成では、カバー体の側壁の下方の端部から内側へ延出して係止部が形成されているので、係止部の強度を強いものとすることができ、コネクタの損傷を防ぐことができる。
【００１０】
本発明のコネクタの好適な実施形態の一つでは、前記カバー体は、前記接続対象を下方へ押圧する押圧部を備える。
【００１１】
この構成では、押圧部が接続対象を押圧する際に生じる反力により、カバー体が上方へ浮き上る力が生じる。この際、カバー体の係止部が接地コンタクトに下方から面接触しているため、カバー体が上方へ浮き上る力によって、係止部が接地コンタクトに押し付けられる。これにより、係止部の接地コンタクトへの面接触をより確実なものとすることができる。
【００１２】
本発明のコネクタの好適な実施形態の一つでは、前記本体の第１の周辺または前記第１の周辺および前記第１の周辺に対向する第２の周辺に前記接地コンタクトが設けられ、前記接地コンタクトの下方に空間が設けられ、前記本体は周辺に側壁を備え、前記本体の前記側壁のうち前記接地コンタクトが設けられた周辺の側壁に、前記係止部が通過可能な切欠きが設けられ、前記切欠きの下端部と前記空間とが連通する。
【００１３】
この構成では、切欠きと空間が連通しているので、カバー体の係止部を、上方から下方へ切欠き内を通過させた後、連通する接地コンタクト下方の空間へと変位させることができる。これにより、カバー体を本体の上方から覆い、そしてカバー体をスライドさせて、係止部の接触面と接地コンタクトの露出面とを面接触させる位置に変位させることができる。
【００１４】
本発明のコネクタの好適な実施形態の一つでは、前記空間の高さより、前記係止部の厚さが小さく設定されている。
【００１５】
この構成では、本体の底板の下面から露出した接地コンタクトの下方に、十分な空間を確保することができる。そのため、コネクタを基板に取り付けた状態でも、係止部が基板に当接することなく、カバー体をスライドさせることができる。
【００１６】
本発明のコネクタの好適な実施形態の一つでは、前記カバー体の側壁は内側へ突出する凸部を備え、前記本体の前記接地コンタクトが設けられた周辺の側壁は、前記切欠きに対して前記空間が設けられている側ほど内側へ傾斜し、前記カバー体を前記面接触を解除する方向へスライドさせる際に前記凸部が当接する傾斜面を備える。
【００１７】
この構成では、面接触を解除する方向へカバー体をスライドさせても、凸部が傾斜面に当接するため、面接触の解除を阻止することができる。しかし、この傾斜面が、切欠きに対して空間が設けられている側ほど内側へ傾斜しているため、面接触を解除する方向へ所定量以上の力を加えると、凸部が本体の側壁の側面へと案内される。これにより、カバー体をスライドさせて面接触を解除することができる。したがって、面接触の解除を阻止しつつ、面接触を解除させる際には強い力を要しないものとすることができる。
【図面の簡単な説明】
【００１８】
【図１】コネクタおよびプラグの上方からの一部分解斜視図である。
【図２】コネクタおよびプラグの下方からの一部分解斜視図である。
【図３】コネクタの側面図である。
【図４】コネクタの本体の底面図である。
【図５】本体とカバー体との取付過程を示す図である。
【図６】本体とカバー体との取付過程を示す図である。
【発明を実施するための形態】
【００１９】
以下に図面を用いて、本願発明に係るコネクタの実施形態を説明する。図１，２はそれぞれ、上方および下方から見た、コネクタＣおよび接続対象の例としてのプラグＰの一部分解斜視図である。なお、コネクタＣを図１の状態に置いた場合を基準として上下を規定する。また、図１の状態のコネクタＣの右を第１方向、左を第２方向と称する。
【００２０】
〔プラグ〕
プラグＰは、ケーブル６と、プラグ本体７と、を備えている。プラグ本体７は、ケーブル６側の厚肉部７ａと、厚肉部７ａと下面が一致するように隣接して配置された薄肉部７ｂと、から構成されている。また、図２に示すように、薄肉部７ｂの下面には、コネクタＣに設けられたコンタクト３に対応する位置に、コンタクト３と接触し、電気的に接続される複数の端子５が設けられている。各々の端子５は図示しない信号線によってケーブル６に接続されている。
【００２１】
本実施形態では、プラグＰは光電気変換モジュールとして構成されている。図示されていない光電気変換素子は、端子５が設けられている面に対向する面、すなわち、プラグ本体７の上面に設けることが好ましい。本実施形態では、後述するように、薄肉部７ｂの上面はカバー体２によって押圧されるため、光電気変換素子は厚肉部７ａの上面に設けられる。
【００２２】
〔コネクタ〕
図に示すように、コネクタＣは、樹脂製の本体１と、金属製のカバー体２とを備えている。
【００２３】
本体１は、底壁１１，底壁１１のそれぞれの周辺から立設する４つの側壁１２を備え、上方が開口する略直方体形状を有している。本体１の中央部にはプラグＰを収容するための凹部１ａが形成されている。プラグＰをコネクタＣに接続する際には、この凹部１ａにプラグＰを収容し、その上方を覆うようにカバー体２を取り付ける。
【００２４】
コネクタＣは、金属製の複数のコンタクト３と、２本の接地コンタクト４と、を備えている。本実施形態では、コンタクト３および接地コンタクト４は、同一の板金材料からプレス成型された部材で形成されており、本体１にインサート成形されている。これにより、製造コストを低減することができるとともに、コネクタＣの高さを低く抑えることができ、コネクタＣの小型化に寄与することができる。
【００２５】
各々の接地コンタクト４は、板状の形状を有し、長手方向に直交する方向に沿って本体の周辺に並列配置され、本体１の底壁１１の下面に沿うように設けられている。また、接地コンタクト４の下面が、底壁１１の下面から部分的に露出するように構成されている。この接地コンタクト４は、その両端に、基板Ｓ（図３参照）に半田等で固定されるテール部４ａを備えている。各々のテール部４ａが本体１の第１方向側および第２方向側の側壁１２から突出している。
【００２６】
各々のコンタクト３は、基板に半田等で固定されるテール部３ａと、プラグＰの端子５（図２参照）と接触する接触部３ｂと、を備えている。図から明らかなように、コンタクト３は略棒状であり、接触部３ｂは上に凸なアーチ形状を有している。このような形状により、コンタクト３はプラグＰの端子５に対して弾性接触し、確実にコンタクト３と端子５との間を電気的に接続することができる。
【００２７】
各々のコンタクト３は、接触部３ｂが凹部１ａ内に位置し、テール部３ａが第１方向側または第２方向側の側壁１２から外方に突出するように配置されている。
【００２８】
なお、底壁１１には開口１１ａが形成されており、コンタクト３が弾性変形した際に、コンタクト３が底壁１１に接触し弾性変形が阻害されるのを防止している。
【００２９】
接地コンタクト４が設けられた本体周辺の側壁１２（長手方向の側壁１２）には、上述した接地コンタクト４の露出部分に隣接するとともに、側壁１２の上面から下面へと切り欠いた、切欠き１２ａが設けられている。本実施形態では、この切欠き１２ａは、本体１の長手方向の側壁１２にそれぞれ２つ設けられている。そして、露出した接地コンタクト４の下方には、接地コンタクト４の下面に沿って空間が設けられており、切欠き１２ａの下部がこの空間に連通している。
【００３０】
また、第２方向側の切欠き１２ａにおける、第１方向側の端面の外側には、第２方向側ほど内側へ傾斜する傾斜面１２ｃが形成されている。
【００３１】
本体１の第２方向側の側壁１２には、プラグＰを本体１に収容した際にケーブル６が嵌まり込むための凹部１２ｂが形成されている。
【００３２】
図２に示すように、カバー体２は、平板状の上壁２１，上壁２１の長辺から下方に延びる一対の側壁２２を備えている。また、上壁２１の第１方向側の端部には内方に折り返された押圧部２３が形成されている。この押圧部２３は、プラグＰの薄肉部７ｂの上面を下方に押圧し、コンタクト３の接触部３ｂとプラグＰの端子５とが確実に接触するようにしている。
【００３３】
各々の側壁２２は、それぞれ２つの係止部２２ａを備えている。係止部２２ａは、上壁２１と平行となるように、側壁２２の下方の端部が内側へ折り返されて形成されている。この係止部２２ａは、上述した本体１の側壁１２の切欠き１２ａを通過可能なように、切欠き１２ａよりも小さく形成されている。さらに、図３に示すように、係止部２２ａの厚さは、本体１の底壁１１の底面から露出する接地コンタクト４の下方の空間の高さより、小さく設定されている。そのため、基板ＳにコネクタＣを固定し、本体１にカバー体２を取り付けた状態において、係止部２２ａの下面が基板Ｓより上方に位置するため、係止部２２ａが基板に当接することがない。
【００３４】
また、各々の側壁２２には２つのスリットを形成することにより、一対のスリットに挟まれた当接片２４が形成されている。各々の当接片２４の内面には、内方に突出する曲面形状の凸部２４ａが形成されている。この凸部２４ａは、図４に示すように、カバー体２を本体１に取り付けた状態において、凸部２４ａの頂点が本体１の側壁１２の外面よりも内方に位置するように形成されている。
【００３５】
次に、本発明におけるコネクタにおいて、カバー体２を本体１に取り付けてカバー体２を取り付ける方法、および、取り外す方法を以下に示す。
【００３６】
まず、図５に示すように、カバー体２の係止部２２ａが本体１の切欠き１２ａを通過するように、カバー体２を下方に押し付ける。次に、この状態から、カバー体２を第２方向側にスライドさせる。この時、切欠き１２ａと、本体１の底壁１１の下面から露出した接地コンタクト４の下方の空間とが連通しているため、係止部２２ａが第２方向へスライドされることで、図６に示すように、係止部２２ａの接触面２２ｂが接地コンタクト４の下面に面接触する状態に移行させることができる。
【００３７】
また、図３に示すように、接地コンタクト４の下方の空間の高さが、カバー体２の係止部２２ａの厚みよりも大きく設定されているため、本体１を基板Ｓに取り付けた状態でも、係止部２２ａが基板Ｓに当接することがなく、カバー体２をスライドさせることができる。
【００３８】
カバー体２を第２方向側にスライドさせると、図６に示すように、係止部２２ａの接触面２２ｂが下方から接地コンタクト４の下面に面接触するため、カバー体２の接地と同時に、カバー体２が上方へ浮き上ることを阻止することができる。なお、本実施形態では、接地コンタクト４は本体１にインサート成形されているため、接地コンタクト４を圧入等で本体１に取り付けた場合に比べて、強い力に対抗することができる。したがって、より強固にカバー体２の上方への移動を阻止することができる。
【００３９】
さらに、本実施形態では、コンタクト３の接触部３ｂが上方に凸なアーチ形状を有しており、コンタクト３がプラグＰの端子に対して弾性接触している。また、プラグＰをカバー体２の押圧部２３で上方から押圧している。そのため、コンタクト３および押圧部２３の弾性復帰力により、カバー体２には上方への力が作用している。この上方への力によって、カバー体２の係止部２２ａが接地コンタクト４の下面に強い力で接触する。そのため、より確実にカバー体２を接地することができるとともに、カバー体２が変位することを阻止できる。
【００４０】
また、上述したように、カバー体２の当接片２４には凸部２４ａが形成されており、図４に示すように、凸部２４ａの頂点が本体１の側壁１２の外面よりも内方に位置するようになっている。そのため、図６の状態のカバー体２を第１方向側にスライドさせようとすると、凸部２４ａが本体１の側壁１２の傾斜面１２ｃに干渉し、カバー体２のスライドが阻害される。ただし、傾斜面１２ｃに対して曲面形状の凸部が当接するため、所定量以上の力を加えてカバー体２を第１方向側にスライドさせると、カバー体２の凸部２４ａが本体１の傾斜面１２ｃ上を摺接移動し、カバー体２の当接片２４を外方に向けて弾性変形させる。これにより、カバー体２を図５に示す状態まで第１方向側にスライドさせ、本体１から取り外すことができる。
【００４１】
〔別実施形態〕
（１）上述の実施形態では、係止部２２ａはカバー体２の側壁２２に設けられていたが、側壁２２に設けられていなくてもよい。
（２）上述の実施形態では、コンタクト３と、接地コンタクト４とは、同一の板金材料からプレス成型され、本体１にインサート成形されていたが、このように形成されていなくてもよい。
（３）上述の実施形態では、接地コンタクト４は２つ設けられていたが、２つでなくてもよい。
（４）上述の実施形態では、本体１の側壁１２に切欠き１２ａが設けられていたが、設けていなくてもよい。この場合、接地箇所を側壁１２に対して１箇所備えた構成とし、本体１の第１方向端部からカバー体２を嵌め、第２方向へスライドさせて接地コンタクト４と接触面２２ｂとを面接触させればよい。また、係止部２２ａを、一対のスリットに挟まれた片の端部を内側に折り返した形状として構成し、係止部２２ａが本体１の側壁１２の外側を摺接移動するように、カバー体２を上方から取り付けるようにしてもよい。
（５）上述の実施形態では、カバー体２に凸部２４ａを有する当接片２４が設けられ、本体１の側壁１２に傾斜面１２ｃが設けられていたが、これらを設けていなくてもよい。
（６）上述の実施形態では、傾斜面１２ｃが切欠き１２ａに隣接して設けられていたが、傾斜面１２ｃは、カバー体２を接地させている状態から、第１方向にスライドさせる際に、凸部２４ａが当接する位置に設けられていればよい。
（７）上述の実施形態では、カバー体２の係止部２２ａは、側壁２２の下方の端部が折り返されて形成されていたが、係止部２２ａの接触面２２ｂが接地コンタクト４の下面から面接触すればよく、この形状に限られない。
（８）上述の実施形態では、カバー体２の係止部２２ａは、４つ設けられていたが、４つでなくてもよい。
（９）上述の実施形態では、カバー体の当接片２４の凸部２４ａは、曲面を有していたが、この形状でなくてもよい。
（１０）上述の実施形態では、カバー体２の係止部２２ａが、本体１の切欠き１２ａよりも小さくなるように形成されていたが、両者が同じ大きさでもよい。
（１１）上述の実施形態では、本体１の底壁１１の下面から露出する接地コンタクト４の下方に設けられた空間の高さより、カバー体２の係止部２２ａの厚さが小さく設定されていたが、小さくなくてもよい。
【産業上の利用可能性】
【００４２】
本発明は、接続対象に電気的に接続するコネクタに利用することができる。
【符号の説明】
【００４３】
Ｃ：コネクタ
Ｐ：プラグ（接続対象）
１：本体
１ａ：凹部
１２：側壁
１２ａ：切欠き
１２ｃ：傾斜面
２：カバー体
２２：側壁
２３：押圧部
２２ａ：係止部
２２ｂ：接触面
２４ａ：凸部
４：接地コンタクト
【図１】
2014192140.tif 000003
【図２】
2014192140.tif 000004
【図３】
2014192140.tif 000005
【図４】
2014192140.tif 000006
【図５】
2014192140.tif 000007
【図６】
2014192140.tif 000008